(57)【特許請求の範囲】
【請求項１】
水溶性ビルダーブロック、過炭酸アルカリ金属塩およびセルロースのアルキル化およびヒドロキシアルキル化によって得られる汚れ解離性セルロース誘導体、ならびに過水分解条件下で有機ペルカルボン酸を放出しおよび／または有機ペルカルボン酸を含む化合物を含んでなり、該水溶性ビルダーブロックは、下記成分：
ａ）５重量％〜３５重量％の、クエン酸、アルカリ金属クエン酸塩および／またはアルカリ金属炭酸塩（アルカリ金属炭酸水素塩によって少なくとも部分的に置換されてよい）と、
ｂ）１重量％〜１０重量％の、１．８〜２．５の範囲のモジュールを有するアルカリ金属シリケートと、
ｃ）０．０５重量％〜２重量％の、ホスホン酸および／またはアルカリ金属ホスホネートと、
ｄ）１５重量％〜５０重量％のアルカリ金属ホスフェートと、
ｅ）１．５重量％〜１０重量％のポリカルボキシレート重合体、
から構成される、ビルダー含有洗濯または洗浄剤。
【請求項２】
セルロース誘導体は、Ｃ１〜Ｃ１０基、特にＣ１〜Ｃ３基でアルキル化されており、さらにＣ２〜Ｃ１０ヒドロキシアルキル基、特にＣ２〜Ｃ３ヒドロキシアルキル基を有することを特徴とする請求項１に記載の剤。
【請求項３】
セルロース誘導体は、平均して、無水グリコースモノマー単位あたり０．５〜２．５個、特に１〜２個のアルキル基と、０．０２〜０．５個、特に０．０５〜０．３個のヒドロキシアルキル基を含有することを特徴とする請求項１または２に記載の剤。
【請求項４】
セルロース誘導体の平均モル質量は、１００００Ｄ〜１５００００Ｄの範囲にあることを特徴とする請求項１〜３のいずれかに記載の剤。
【請求項５】
セルロース誘導体の平均モル質量は、４００００Ｄ〜１２００００Ｄ、特に８００００Ｄ〜１１００００Ｄの範囲にあることを特徴とする請求項１〜４のいずれかに記載の剤。
【請求項６】
０．１重量％〜５重量％、特に０．５重量％〜２．５重量％の汚れ解離性セルロース誘導体を含有することを特徴とする請求項１〜５のいずれかに記載の剤。
【請求項７】
過炭酸アルカリ金属塩の割合は、６重量％〜３０重量％、特に１０重量％〜２５重量％であることを特徴とする請求項１〜６のいずれかに記載の剤。
【請求項８】
過炭酸アルカリ金属塩は粒子状で、少なくとも２つの被覆層を有し、最内層は少なくとも一つの水和物形成性無機塩を含み、外層はアルカリ金属シリケートを含むことを特徴とする請求項１〜７のいずれかに記載の剤。
【請求項９】
過水分解条件下で有機ペルカルボン酸を放出しおよび／または有機ペルカルボン酸を含む化合物をさらに０．５重量％〜６重量％の量で含むことを特徴とする請求項１〜８のいずれかに記載の剤。
【請求項１０】
ビルダーブロックの割合は少なくとも１５重量％であることを特徴とする請求項１〜９のいずれかに記載の剤。
【請求項１１】
ビルダーブロックの割合は５５重量％まで、特に２５重量％〜５０重量％であることを特徴とする請求項１〜１０のいずれかに記載の剤。
【請求項１２】
１５重量％〜２５重量％のアルカリ金属炭酸塩（アルカリ金属炭酸水素塩によって少なくとも部分的に置換されてよい）、および５重量％まで、特に０．５重量％〜２．５重量％のクエン酸および／またはアルカリ金属クエン酸塩が、成分a)として存在することを特徴とする請求項１〜１１のいずれかに記載の剤。
【請求項１３】
５重量％〜２５重量％、特に５重量％〜１５重量％のクエン酸および／またはアルカリ金属クエン酸塩と、５重量％まで、特に１重量％〜５重量％のアルカリ金属炭酸塩（アルカリ金属炭酸水素塩によって少なくとも部分的に置換されてよい）が、成分ａ）として存在することを特徴とする請求項１〜１１のいずれかに記載の剤。
【請求項１４】
成分ａ）は、アルカリ金属炭酸塩とアルカリ金属炭酸水素塩を、１０：１〜１：１の重量比で含むことを特徴とする請求項１〜１３のいずれかに記載の剤。
【請求項１５】
１重量％〜５重量％の、１．８〜２．５の範囲のモジュールを有するアルカリ金属シリケートが、成分ｂ）として存在することを特徴とする請求項１〜１４のいずれかに記載の剤。
【請求項１６】
０．０５重量％〜１重量％の、ホスホン酸および／またはアルカリ金属ホスホネート、特にそれらのヒドロキシおよび／またはアミノアルキルホスホン酸および／またはアルカリ金属塩から選択されるものが、成分ｃ）として存在することを特徴とする請求項１〜１５のいずれかに記載の剤。
【請求項１７】
１５重量％〜３５重量％の、アルカリ金属ホスフェート、特に三ナトリウムポリリン酸塩が、成分ｄ）として存在することを特徴とする請求項１〜１６のいずれかに記載の剤。
【請求項１８】
１．５重量％〜５重量％のポリカルボキシレート重合体、特にアクリル酸、メタクリル酸および／またはマレイン酸の重合生成物または共重合生成物から選択されるものが、成分e)として存在することを特徴とする請求項１〜１７のいずれかに記載の剤。
【請求項１９】
特に綿から構成されるかまたは綿を含む、繊維製品の洗浄において、過炭酸アルカリ金属塩および下記成分：
ａ）５重量％〜３５重量％の、クエン酸、アルカリ金属クエン酸塩および／またはアルカリ金属炭酸塩（アルカリ金属炭酸水素塩によって少なくとも部分的に置換されてよい）と、
ｂ）１重量％〜１０重量％の、１．８〜２．５の範囲のモジュールを有するアルカリ金属シリケートと、
ｃ）０．０５重量％〜２重量％の、ホスホン酸および／またはアルカリ金属ホスホネートと、
ｄ）１５重量％〜５０重量％のアルカリ金属ホスフェートと、
ｅ）１．５重量％〜１０重量％のポリカルボキシレート重合体、
から構成される水溶性ビルダーブロック、ならびに過水分解条件下で有機ペルカルボン酸を放出しおよび／または有機ペルカルボン酸を含む化合物を含む洗濯洗剤の洗浄性能を向上させるための、セルロースのアルキル化およびヒドロキシアルキル化によって得られる汚れ解離性セルロース誘導体の使用。
【請求項２０】
繊維製品の洗浄方法であって、下記成分：
ａ）５重量％〜３５重量％の、クエン酸、アルカリ金属クエン酸塩および／またはアルカリ金属炭酸塩（アルカリ金属炭酸水素塩によって少なくとも部分的に置換されてよい）と、
ｂ）１重量％〜１０重量％の、１．８〜２．５の範囲のモジュールを有するアルカリ金属シリケートと、
ｃ）０．０５重量％〜２重量％の、ホスホン酸および／またはアルカリ金属ホスホネートと、
ｄ）１５重量％〜５０重量％のアルカリ金属ホスフェートと、
ｅ）１．５重量％〜１０重量％のポリカルボキシレート重合体、
から構成される水溶性ビルダーブロックと、セルロースのアルキル化およびヒドロキシアルキル化によって得られる汚れ解離性セルロース誘導体、ならびに過水分解条件下で有機ペルカルボン酸を放出しおよび／または有機ペルカルボン酸を含む化合物を有する過炭酸アルカリ金属塩含有洗濯洗剤を使用する、方法。
【請求項２１】
汚れ解離性セルロース誘導体を含んでなる粒子を、固体状で存在する追加の洗濯洗剤成分と混合することを特徴とする請求項１〜１８のいずれかに記載の固形剤の製造方法。
【請求項２２】
汚れ解離性セルロース誘導体を含んでなる粒子を、噴霧乾燥工程を用いることによって調製することを特徴とする請求項２１に記載の方法。
【請求項２３】
汚れ解離性セルロース誘導体を含んでなる粒子を、圧縮成形工程を用いることによって調製することを特徴とする請求項２１に記載の方法。
【発明の詳細な説明】
【技術分野】
【０００１】
本発明は、ビルダー成分として水溶性成分のみを有し、かつ汚れ解離性セルロース誘導体および漂白剤を含んでなる洗濯または洗浄剤に関する。
【０００２】
洗濯および洗浄性能のために必須の界面活性剤に加えて、洗濯および洗浄剤は、界面活性剤と相互に悪い作用をしないよう、洗浄液から、硬度形成剤（Haertebildner）、すなわち実質的にはカルシウムおよびマグネシウムイオンを除去しようとすることにより、界面活性剤の性能を促進する役割を担う、ビルダー物質と呼ばれものも含む。この目的で、以前は、ポリリン酸塩、特に三ナトリウムポリリン酸塩が首尾よく使用された。一次洗浄作用を高める上記ビルダー物質のさらなる既知の例はゼオライトＮａＡであって、これは、水硬度形成性アニオン（特に炭酸塩）と反応して不溶性化合物を形成することを抑制するような、特にカルシウムイオンとの安定錯体を形成し得るものとして知られている。また、ビルダー、とりわけ繊維製品の洗濯洗剤におけるビルダーは、繊維から、または一般には洗浄すべき表面から解離した汚れ、並びに洗浄された繊維製品または表面上で水硬度形成性カチオンと水硬度形成性アニオンの反応によって生じる不溶性化合物の再付着を妨げるよう意図される。この目的で、コビルダーとして知られるもの（一般にはポリカルボキシレート重合体）が通常用いられるが、これは、その二次洗浄能への寄与のほか、水硬度形成性カチオンに対する錯化作用も有利に有する。
【０００３】
洗浄工程に必須である成分、例えば界面活性剤およびビルダー物質に加えて、洗濯洗剤は、通常、洗浄助剤の用語で集約でき、泡調整剤、灰色化抑制剤、漂白剤、酵素および染料移行抑制剤などの異なる活性物質を包含するさらなる構成成分を含んでなる。そのような助剤には、撥汚性を洗濯繊維に付与し、洗浄作業中に存在する場合は、残りの洗剤成分の汚れ解離能を高める物質が含まれる。同じことが、硬質表面用洗浄剤にもあてはまる。そのような汚れを解離できる物質は、しばしば「汚れ解離性」活性物質、または処理された表面、例えば繊維を、汚れを解離するように変性できることから「撥汚剤」と呼ばれる。
【０００４】
例えば、米国特許ＵＳ４１３６０３８は、メチルセルロースの汚れ解離性作用を開示している。欧州特許出願ＥＰ０２１３７２９は、石鹸とアルキルヒドロキシアルキルセルロースを含んでなる非イオン界面活性剤との組み合わせを含んでなる洗濯洗剤を使用する場合の減少した再付着を開示している。欧州特許出願ＥＰ０２１３７３０は、カチオン界面活性剤およびＨＬＢ値３．１〜３．８を有する非イオンセルロースエーテルを含んでなる繊維製品処理組成物を開示している。米国特許ＵＳ４００００９３は、アルキルセルロース、ヒドロキシアルキルセルロースまたはアルキルヒドロキシアルキルセルロース０．１〜３重量％および界面活性剤５〜５０重量％を含んでなり、界面活性剤成分が実質的にＣ１０−Ｃ１３−アルキルスルフェートからなり、５重量％までのＣ１４−アルキルスルフェート並びに５重量％未満のＣ１５およびそれ以上のアルキル基含有アルキルスルフェートを含んでなる洗濯洗剤を開示している。米国特許ＵＳ４１７４３０５は、アルキルセルロース、ヒドロキシアルキルセルロースまたはアルキルヒドロキシアルキルセルロース０．１〜０．３重量％および界面活性剤５〜５０重量％を含んでなり、界面活性剤成分が実質的にＣ１０−Ｃ１２−アルキルベンゼンスルホネートからなり、Ｃ１３およびそれ以上のアルキル基を有するアルキルベンゼンスルホネート５重量％未満を含んでなる洗濯洗剤を開示している。欧州特許出願ＥＰ０６３４４８１は、アルカリ金属パーカーボネートおよび１種またはそれ以上の非イオンセルロース誘導体を含んでなる洗濯洗剤に関する。非イオンセルロース誘導体の中で、単にヒドロキシエチルセルロース、ヒドロキシプロピルセルロースおよびメチルセルロースを明瞭に開示し、実施例において、メチルヒドロキシエチルセルロースTylose（登録商標）MH50、ヒドロキシプロピルメチルセルロースMethocel（登録商標）F4Mおよびヒドロキシブチルメチルセルロースを開示している。欧州特許ＥＰ０２７１３１２（Ｐ＆Ｇ）は、汚れ解離活性物質、中でもセルロースアルキルエーテルおよびセルロースヒドロキシアルキルエーテル（１．５〜２．７のＤＳおよび２０００〜１０００００の分子量を有する）、例えばメチルセルロースおよびエチルセルロースに関し、セルロースアルキルエーテルおよびセルロースヒドロキシアルキルエーテルは過酸化物漂白剤と共に、１０：１〜１：１０の（漂白剤の活性酸素含量に基づく）重量比で使用されている。欧州特許ＥＰ０９４８５９１Ｂ１は、洗濯される布および繊維製品に、外観的利点、例えば、ピリング／毛羽立ちの減少、退色の抑制、向上した摩耗耐性および／または増大した柔軟性を与え、界面活性剤１〜８０重量％、有機または無機ビルダー１〜８０重量％、１００００〜２００００００の分子量を有する疎水変性非イオンセルロースエーテル（任意にオリゴマー化された（オリゴマー化度２０まで）エチレンオキシまたは２−プロピレンオキシエーテル単位およびＣ８−２４−アルキル置換基の存在下での変性であり、アルキル置換基は、セルロースエーテル物質に基づいて０．１〜５重量％の量で存在する）０．１〜８０重量％を含有する液状または顆粒状の洗濯洗剤を開示している。
【０００５】
ポリエステル繊維の化学的な類似性により、この物質からなる繊維製品の場合に特に効果的な汚れ解離活性物質は、ジカルボン酸単位、アルキレングリコール単位およびポリアルキレングリコール単位を有するコポリエステルである。上記の汚れ解離性コポリエステルおよび洗濯洗剤の使用も、以前から知られている。
【０００６】
例えば、ドイツ公開特許公報ＤＴ１６１７１４１は、ポリエチレンテレフタレート−ポリオキシエチレングリコールコポリマーを使用する洗浄方法を記載している。ドイツ公開特許公報ＤＴ２２００９１１は、非イオン界面活性剤ならびにポリオキシエチレングリコールおよびポリエチレンテレフタレートからなるコポリマーを含んでなる洗濯洗剤に関する。ドイツ公開特許公報ＤＴ２２５３０６３は、二塩基性カルボン酸およびアルキレンポリグリコールまたはシクロアルキレンポリグリコールおよび任意のアルキレングリコールまたはシクロアルキレングリコールからなるコポリマーを含んでなる酸性繊維変性組成物を記載している。ポリエチレングリコール単位は、７５０〜５０００の分子量を有し、エチレンテレフタレートとポリエチレンオキシドテレフタレートのモル比が５０：５０〜９０：１０であるエチレンテレフタレートおよびポリエチレンオキシドテレフタレートからなるポリマーならびにその洗濯洗剤における使用がドイツ特許ＤＥ２８５７２９２に記載されている。１５０００〜５００００の分子量を有し、エチレンテレフタレートおよびポリエチレンオキシドテレフタレートからなるポリマーは、ドイツ公開特許公報ＤＥ３３２４２５８の洗濯洗剤に使用され、そこでは、ポリエチレングリコール単位が１０００〜１００００の分子量を有し、エチレンテレフタレートとポリエチレンオキシドテレフタレートとのモル比が２：１〜６：１である。欧州特許ＥＰ０６６９４４は、エチレングリコール、ポリエチレングリコール、芳香族ジカルボン酸およびスルホン化芳香族ジカルボン酸から特定のモル比で構成されるコポリエステルを含んでなる繊維製品処理組成物に関する。欧州特許ＥＰ１８５４２７は、メチルまたはエチル基で末端キャップされ、エチレンテレフタレートおよび／またはプロピレンテレフタレートおよびポリエチレンオキシドテレフタレート単位を含有するポリエステル、ならびにそのような汚れ解離性ポリマーを含む洗濯洗剤を開示している。欧州特許ＥＰ２４１９８４は、オキシエチレン基およびテレフタル酸単位に加えて、置換エチレン単位およびグリセロール単位も含有するポリエステルに関する。欧州特許ＥＰ２４１９８５は、オキシエチレン基およびテレフタル酸単位に加えて、１，２−プロピレン、１，２−ブチレンおよび／または３−メトキシ−１，２−プロピレン基およびグリセロール単位を含有し、Ｃ１−Ｃ４−アルキル基で末端キャップされているポリエステルを開示している。欧州特許ＥＰ２５３５６７は、９００〜９０００の分子量を有し、エチレンテレフタレートおよびポリエチレンオキシドテレフタレートからなり、ポリエチレングリコール単位は３００〜３０００の分子量を有し、エチレンテレフタレートとポリエチレンオキシドフタレートのモル比は０．６〜０．９５である汚れ解離性ポリマーを開示している。欧州特許出願ＥＰ２７２０３３は、Ｃ１−４−アルキルまたはアシル基によって少なくとも部分的に末端キャップされており、ポリプロピレンテレフタレートおよびポリオキシエチレンテレフタレート単位を有するポリエステルを開示している。欧州特許ＥＰ２７４９０７は、スルホエチルによって末端キャップされているテレフタレート含有汚れ解離性ポリエステルを開示している。欧州特許出願ＥＰ３５７２８０において、テレフタレート、アルキレングリコールおよびポリ−Ｃ２−４−グリコール単位を有する汚れ解離性ポリエステルは、不飽和末端基のスルホン化によって調製されている。ドイツ特許出願ＤＥ２６５５５５１は、そのようなポリエステルとイソシアネート含有ポリマーとの反応およびそのように調製された重合体の合成繊維洗浄過程での汚れの再付着に対する使用を開示している。ドイツ特許出願ＤＥ２８４６９８４は、汚れ解離性ポリマーとして、ジイソシアネートと親水性非イオンマクロジオールから得られる、末端イソシアネート基を含有するプレポリマーとポリエステルの反応生成物を含んでなる洗濯洗剤を開示している。
【発明の開示】
【発明が解決しようとする課題】
【０００７】
この広範囲の従来技術から既知である主なポリマーは、ポリエステルであるか、少なくとも大部分がポリステルである繊維製品の場合にしか、十分な効果を有さないとう欠点を有する。しかしながら、現代の繊維製品の大部分は、綿または綿−ポリエステルの混合繊維からなり、そのため、そのような繊維製品上の脂汚れの場合に、より良好な活性を有する汚れ解離性ポリマーが求められている。
【０００８】
上記洗浄助剤のなかで、特に多数の異なる汚れに対する洗濯または洗浄性能の向上に関して、漂白剤は特に重要とされる。このような助剤には、繊維製品上に存在するか或いは繊維製品から放出後に液中に存在する汚れの酸化的分解反応によって、洗濯洗剤における界面活性剤性能を促進する物質が含まれる。同じことが、硬質表面用の洗浄剤にも準用される。例えば、無機過酸素化合物、特に過酸化水素および水に溶解して過酸化水素または活性酸素として知られるものを放出する固体過酸素化合物、例えば過ホウ酸ナトリウムおよび炭酸アトリウム過水和物は、酸化剤として消毒および漂白の目的でかねてより使用されてきた。しばしば過炭酸ナトリウムと略称される後者の化合物は、過酸化水素の炭酸ナトリウムへの付加化合物（実験式２Ｎａ２ＣＯ３３Ｈ２Ｏ２）である。残余のアルカリ金属の炭酸塩もＨ２Ｏ２付加化合物を生成する。暖かく湿った環境で、他の一般的な洗濯洗剤および洗剤組成物の成分の存在下、しばしば不十分であった炭酸アルカリ金属の貯蔵安定性のため、通常は、過炭酸アルカリ金属塩を活性酸素の消失に対して安定化させなければならない。安定化における基本原則は、過炭酸アルカリ金属塩粒子を単層または多層構造を有し得る被覆で囲むことである。各被覆層は、１種またはそれ以上の無機および／または有機被覆成分を含んでよい。
【０００９】
驚くべきことに、セルロース誘導体の汚れ解離性作用は、過炭酸アルカリ金属塩を含み、水不溶性ビルダー物質を含まない、すなわち水溶性ビルダーのみを含む洗濯または洗浄剤中で使用する場合に、特に顕著となることが見出された。
【００１０】
従って、本発明は、水溶性ビルダーブロック、過炭酸アルカリ金属塩およびセルロースのアルキル化およびヒドロキシアルキル化によって得られる汚れ解離性セルロース誘導体を含んでなる、ビルダー含有洗濯または洗浄剤を提供する。
【００１１】
過炭酸アルカリ金属塩、水溶性ビルダーブロックおよび汚れ解離性セルロース誘導体のほかに、該剤は、洗濯洗剤または洗浄組成物における通常のあらゆる成分を、該成分と或いは該成分の１つと許容されないような相互に悪い作用をしない限り、さらに含んでよい。しかし、用語「ビルダーブロック」の使用は、該剤は、水溶性であるもの以外いかなるビルダー物質も含まない、すなわち、組成物中に存在する全ビルダー物質はこうして特徴付けられる「ブロック」に要約されるが、せいぜい不純物として商業上通常存在し得る物質量または組成物の残りの成分における少量の安定化剤は除外することを表すよう意図される。
【００１２】
好適な本発明の組成物は、上記の過炭酸アルカリ金属塩のほかに追加的な漂白剤を含まないが、所望であればこれを含むことも可能である。過炭酸アルカリ金属塩の割合が6重量％〜30重量％、特に10重量％〜25重量％である漂白剤が好適である。ここで、および本明細書中の他の全ての点につき、好適なアルカリ金属はナトリウムであるが、所望によりリチウム、カリウムおよびルビジウムの塩を用いることも可能である。
【００１３】
第二に、本発明は、特に綿から構成されるかまたは綿を含む、繊維製品の洗浄において、水溶性ビルダーブロックを有する過炭酸アルカリ金属塩含有洗濯洗剤の洗浄作用を向上させるための、セルロースのアルキル化およびヒドロキシアルキル化によって得られる汚れ解離性セルロース誘導体の使用を提供する。
【００１４】
本発明はさらに、繊維製品の洗浄方法であって、水溶性ビルダーブロックと、セルロースのアルキル化およびヒドロキシアルキル化によって得られる汚れ解離性セルロース誘導体を有する過炭酸アルカリ金属塩含有洗濯洗剤を使用する、方法を提供する。この方法は、手動で、または、好ましくは通常の家庭用洗濯機を用いて行い得る。漂白剤含有洗濯洗剤と汚れ解離性セルロース誘導体を、同時にまたは逐次的に用いることが可能である。同時の使用は、汚れ解離性セルロース誘導体を含む漂白剤含有洗濯洗剤を使用することによって、特に有利に行い得る。
【００１５】
本発明に従って用いられるセルロース誘導体の洗浄性能の向上効果は、繰り返し使用において、すなわち、とりわけ、既に洗浄されたおよび／またはセルロース誘導体の存在下で、汚れる前に後処理された適当な繊維製品からのしみの除去に、特に顕著である。後処理に関して、水溶性ビルダーブロックを有するペルカルボン酸含有洗濯洗剤（上記のセルロース誘導体を含み得るが、この場合にはこれを含まなくてもよい）によって行った場合の実際の洗浄作業後に、繊維製品を、本発明によって使用されるセルロース誘導体を含む後処理組成物と、例えば繊維柔軟工程で、接触させる洗浄工程によって、上記の肯定的な側面が実現され得ることに注目すべきである。この手順においても、所望に応じて、次の洗浄操作において上記のセルロース誘導体を含む洗濯洗剤を使用しないときでさえ、本発明に従って使用されるセルロース誘導体の洗浄性能の向上効果が発現する。
【発明を実施するための最良の形態】
【００１６】
好ましいセルロース誘導体は、Ｃ１−Ｃ１０基、特にＣ１−Ｃ３基によってアルキル化されており、さらにＣ２−Ｃ１０ヒドロキシアルキル基、特にＣ２−Ｃ３ヒドロキシアルキル基を有するものである。これらは、セルロースを、適したアルキル化剤、例えば、アルキルハライドまたはアルキルスルフェートと反応させ、その後、適したアルキレンオキシド、例えばエチレンオキシドおよび／またはプロピレンオキシドと反応させる既知の方法によって得られる。本発明の好ましい態様において、セルロース誘導体は、アンヒドログリコースモノマー単位につき、平均して０．５〜２．５、特に１〜２のアルキル基、０．０２〜０．５、特に０．０５〜０．３のヒドロキシアルキル基を有する。本発明で使用されるセルロース誘導体の平均分子量は、好ましくは１００００〜１５００００Ｄ、特に４００００〜１２００００Ｄ、さらに好ましくは８００００〜１１００００Ｄの範囲にある。汚れ解離性セルロース誘導体の重合度および分子量の測定は、ウベローデ毛細管粘度計（0c 毛細管）によって十分に希釈した水溶液の極限粘度数の測定に基づいている。定数[H. Staudinger and F. Reinecke, ”Ueber Molekulargewichtsbestimmung an Celluloseethern”（セルロースエーテルの分子量測定について）、Liebigs Annalen der Chemie 535, 47 (1938)]および補正率[F. Rodriguez and L.A. Goettler、"The flow of Moderately Concentrated Polymer Solutions in Water"（中程度に濃縮したポリマー水溶液の流れ）、Transactions of the Society of Rheology VIII, 3 17 (1964)]を用いて、極限粘度数から、重合度、および置換度（ＤＳおよびＭＳ）を考慮して対応する分子量を計算することが可能である。
【００１７】
上記のように、本発明に従って使用するセルロース誘導体は、簡易な方法で調製でき、環境的にも毒性的にも安全である。該セルロース誘導体により、この目的で従来既知の化合物を用いる場合よりも、とりわけ綿或いは綿含有布上の油脂および化粧品汚れの除去が著しく良好となる。あるいは、同等の油脂除去を可能とするためには、かなりの量の界面活性剤を節約し得る。
【００１８】
洗浄方法との関連では、本発明の使用は、過炭酸アルカリ金属塩およびセルロース誘導体を洗濯洗剤含有液へ添加する、漂白剤と洗濯洗剤を含有する液へセルロース誘導体を別個に添加する、または、好ましくは、セルロース誘導体を本発明の洗濯洗剤成分として液中へ導入するような使用であり得る。
【００１９】
洗濯の後処理工程との関連では、本発明の使用は同様に、水溶性ビルダーブロックを含んでなる過炭酸塩含有洗濯洗剤の使用で実行される洗浄サイクルの後に用いる濯ぎ液へセルロース誘導体を別個に添加する、または、洗濯の後処理剤（特に布軟化剤）の成分として導入するような使用であり得る。本発明のこの局面では、水溶性ビルダーブロックを含んでなる上記過炭酸塩含有洗濯洗剤は、同様に、本発明により使用されるセルロース誘導体であってよいが、これを含まなくてもよい。逆に、上記した洗濯の後処理剤は、過炭酸および／または水溶性ビルダーブロックも含んでよいが、これを含まなくてもよい。
【００２０】
本発明の組成物中に存在する過炭酸アルカリ金属塩は、好適には被覆された過炭酸アルカリ金属塩粒子として用いられ、その粒子は、任意の調製方法によって得られた過炭酸アルカリ金属塩コアを有し、また、マグネシウム塩、シリケートおよびホスフェートなどの、それ自体既知の安定剤を含んでよい。通例、実施される調製方法は、特に結晶化法および流動床噴霧造粒法として既知の方法である。結晶化法においては、過酸化水素とアルカリ金属炭酸塩を水相中で反応させて過炭酸アルカリ金属塩を生じさせ、結晶化後にこれを水性母液から除去する。以前の方法では、過炭酸アルカリ金属塩を、より高濃度の不活性塩（例えば塩化ナトリウム）の存在下に結晶化させたが、塩析剤を存在させなくても結晶化を達成し得る方法もまた既知となった。例えば欧州特許出願ＥＰ０７０３１９０が例として参照される。流動床噴霧造粒では、流動床に配置されたアルカリ金属炭酸塩シード上に過酸化水素水溶液とアルカリ金属炭酸塩水溶液を噴霧し、水を同時に蒸発させる。流動床で成長する顆粒を、全体として或いは分類する方法で流動床から取り出す。上記調製方法の具体例として、国際特許出願ＷＯ９６／０６６１５が参照される。最後に、過炭酸アルカリ金属塩粒子コアは、固体アルカリ金属炭酸塩またはその水和物を過酸化水素水溶液と接触させる工程、乾燥させる工程を含んでなる方法によって得られた過炭酸アルカリ金属塩であってもよい。
【００２１】
本発明の組成物中に特に好適に存在する過炭酸アルカリ金属塩は、粒子状であって、少なくとも二つの被覆層、すなわち少なくとも一種の水和物形成性無機塩を含んでなる最内層と、アルカリ金属シリケートを含んでなる外層を有する。アルカリ金属シリケートを含んでなる外側の被覆層は、少なくとも二層を含む被覆物の最外被覆層、または過炭酸アルカリ金属塩上に直接配置された最内部ではない被覆層のいずれであってもよく、一つの層または複数の層によって順々に覆われてよい。個々の層については、ここでも従来技術でも議論されるが、別の最上層に存在する層の成分は、少なくとも境界領域では互いに融合し得ることが強調されるべきである。この少なくとも部分的な浸透は、被覆成分または第二被覆層成分を含む溶液を、最内被覆層を有する過炭酸アルカリ金属塩粒子の被覆課程で噴霧する際の、少なくとも表面上での部分的溶解に由来する。
【００２２】
本発明の組成物のさらなる本質的特徴は、それが水溶性ビルダーブロックを含むことである。この関係で、用語「水溶性」とは、ビルダーブロックが、室温、ｐＨ７の水中で、少なくとも３ｇ／Ｌ、とりわけ少なくとも６ｇ／Ｌの範囲で残留物なく溶解することを意味すると理解される。ビルダーブロックは、通常の洗浄条件下で存在する洗濯洗剤の使用量に由来する濃度で残留物なく溶解するのが好ましい。
【００２３】
本発明の組成物は、好ましくは、少なくとも１５重量％で５５重量％まで、特に２５重量％〜５０重量％の水溶性ビルダーブロックを含有する。水溶性ビルダーブロックは、好ましくは、下記成分：
ａ）５重量％〜３５重量％の、クエン酸、アルカリ金属クエン酸塩および／またはアルカリ金属炭酸塩（アルカリ金属炭酸水素塩によって少なくとも部分的に置換されてよい）と、
ｂ）１０重量％までの、１．８〜２．５の範囲のモジュールを有するアルカリ金属シリケートと、
ｃ）２重量％までの、ホスホン酸および／またはアルカリ金属ホスホネートと、
ｄ）５０重量％までの、アルカリ金属ホスフェートと、
ｅ）１０重量％までのポリカルボキシレート重合体、
から構成され、定量的データは全洗濯洗剤または洗浄剤組成物に基づく。このことは、特に明記しない限り、全ての下記定量的データにも当てはまる。
【００２４】
本発明の組成物の好適な態様では、水溶性ビルダーブロックは、成分ｂ）、ｃ）、ｄ）およびｅ）の少なくとも二種を０重量％より多い量で含む。
【００２５】
成分ａ）に関しては、本発明の組成物の好適な態様では、１５重量％〜２５重量％のアルカリ金属炭酸塩（アルカリ金属炭酸水素塩によって少なくとも部分的に置換されてよい）、および５重量％まで、特に０．５重量％〜２．５重量％のクエン酸および／またはアルカリ金属クエン酸塩が、存在する。本発明の組成物の別の態様では、５重量％〜２５重量％、特に５重量％〜１５重量％のクエン酸および／またはアルカリ金属クエン酸塩と、５重量％まで、特に１重量％〜５重量％のアルカリ金属炭酸塩（アルカリ金属炭酸水素塩によって少なくとも部分的に置換されてよい）が、成分ａ）として存在する。アルカリ金属炭酸塩とアルカリ金属炭酸水素塩の両者が存在する場合、成分ａ）は、アルカリ金属炭酸塩とアルカリ金属炭酸水素塩を、好ましくは１０：１〜１：１の重量比で有する。
【００２６】
成分ｂ）に関しては、本発明の組成物の好適な態様では、１重量％〜５重量％の、１．８〜２．５の範囲のモジュールを有するアルカリ金属シリケートが、存在する。
【００２７】
成分ｃ）に関しては、本発明の組成物の好適な態様では、０．０５重量％〜１重量％の、ホスホン酸および／またはアルカリ金属ホスホネートが存在する。これに関連して、ホスホン酸はまた、複数のホスホン酸部分を有してもよい（ホスホン酸として知られる）、場合により置換されたアルキルホスホン酸であるとも理解される。これらは、好ましくはヒドロキシおよび／またはアミノアルキルホスホン酸および／またはそのアルカリ金属塩、例えばジメチルアミノメタンジホスホン酸、３−アミノプロパン−１−ヒドロキシ−１，１−ジホスホン酸、１−アミノ−１−フェニルメタンジホスホン酸、１−ヒドロキシエタン−１，１−ジ−ホスホン酸、アミノトリス（メチレンホスホン酸）、Ｎ，Ｎ，Ｎ’，Ｎ’−エチレンジアミンテトラキス（メチレンホスホン酸）およびドイツ公開明細書ＤＥ１１０７２０７に記載された亜リン酸のアシル化誘導体から選択され、それらは任意の所望の混合物として使用してもよい。
【００２８】
成分ｄ）に関しては、本発明の組成物の好適な態様では、１５重量％〜３５重量％の、アルカリ金属ホスフェート、特に三ナトリウムポリリン酸塩が、存在する。アルカリ金属ホスフェートは、種々のリン酸のアルカリ金属（とりわけナトリウムおよびカリウム）塩の総称であり、高分子量の代表例に加えて、メタリン酸（ＨＰＯ３）ｎとオルソリン酸Ｈ３ＰＯ４の区別がなされ得る。ホスフェートはいくつかの利点を兼ね備える：すなわち、ホスフェートはアルカリ担体として作用し、機械部品上の石灰かす沈着物および布中の石灰堆積物を防ぎ、さらに洗浄性能に寄与する。リン酸二水素ナトリウム、ＮａＨ２ＰＯ４、は二水和物（密度１．９１ｇｃｍ−３、融点６０°）および一水和物（密度２．０４ｇｃｍ−３）として存在する。いずれの塩も白色粉体であって、極めて容易に水に溶け、加熱すると結晶水を失い、２００℃で弱酸性二リン酸塩（二リン酸水素２ナトリウム、Ｎａ２Ｈ２Ｐ２Ｏ７）へ、そしてより高い温度でトリメタリン酸ナトリウム（Ｎａ３Ｐ３Ｏ９）とMaddrell塩へ変化する。ＮａＨ２ＰＯ４は酸性的に反応する；すなわち、水酸化ナトリウム溶液を用いてリン酸をｐＨ４．５に調節し、スラリーをスプレー吐出すると生成する。リン酸二水素カリウム（第一または一塩基性カリウムホスフェート、重リン酸カリウム、ＫＤＰ）、ＫＨ２ＰＯ４、は密度が２．３３ｇｃｍ−３の白色塩で、融点２５３°［（ＫＰＯ３）ｘを形成して分解、カリウムポリリン酸塩］を有し、容易に水に溶ける。水素リン酸水素２ナトリウム（第二ナトリウムホスフェート）、Ｎａ２ＨＰＯ４、は無色の結晶塩で、容易に水に溶ける。それは無水形態、２モル水（密度２．０６６ｇｃｍ−３、９５°で脱水）、７モル水（密度１．６８ｇｃｍ−３、５Ｈ２Ｏの脱水で融点４８°）および１２モル水（密度１．５２ｇｃｍ−３、５Ｈ２Ｏの脱水で融点３５°）で存在し、１００°で無水となり、そして、より強力に加熱されると二リン酸塩Ｎａ４Ｐ２Ｏ７に変化する。リン酸水素２ナトリウムは、フェノールフタレインを指示薬として用いて、リン酸を炭酸ナトリウム溶液で中和することにより調製される。リン酸水素２カリウム（第二または二塩基性カリウムホスフェート）、Ｋ２ＨＰＯ４は非晶質白色塩であって、容易に水に溶ける。トリナトリウムホスフェート、第三ナトリウムホスフェート、Ｎａ３ＰＯ４、は無色結晶であって、１２水和物の形態では密度１．６２ｇｃｍ−３、融点７３〜７６℃（分解）、１０水和物（１９〜２０％Ｐ２Ｏ５に相当）の形態では融点１００℃、および無水形態（３９〜４０％Ｐ２Ｏ５に相当）では密度２．５３６ｇｃｍ−３である。トリナトリウムホスフェートはアルカリ性反応によって容易に水に溶け、正確なジナトリウムホスフェート１モルとＮａＯＨ１モルの溶液を蒸発濃縮することにより調製される。トリカリウムホスフェート（第三または三塩基性カリウムホスフェート）、Ｋ３ＰＯ４、は白色で、潮解性のある、密度２．５６ｇｃｍ−３の粒状粉末であり、融点１３４０°を有し、アルカリ性反応によって容易に水に溶ける。それは例えば、スラグを炭および硫酸カリウムと加熱すると生成する。比較的高コストではあるが、より易溶性で、従って高活性のカリウムホスフェート��、洗浄剤産業において、相当するナトリウム化合物よりもしばしば好まれる。テトラナトリウム二リン酸塩（ピロリン酸ナトリウム）、Ｎａ４Ｐ２Ｏ７、は、無水形態（密度２．５３４ｇｃｍ−３、融点９８８°、８８０°も報告されている）および１０水和物（密度１．８１５〜１．８３６ｇｃｍ−３、脱水により融点９４°）の形態で存在する。いずれの物質も無色結晶であり、アルカリ性反応によって水中に溶解する。ジナトリウムホスフェートを＞２００°に加熱するか、またはリン酸と炭酸ナトリウムを二段燃焼率で反応させ、噴霧により溶液を脱水すると、Ｎａ４Ｐ２Ｏ７が生成する。１０水和物は重金属塩および硬度形成剤と錯化し、従って、水の硬度を下げる。カリウム二リン酸塩（ピロリン酸カリウム）、Ｋ４Ｐ２Ｏ７、は三水和物の形態で存在し、無色で、密度２．３３ｇｃｍ−３の吸水性粉末であって、水に可溶で、２５°での１％溶液のｐＨは１０．４である。ＮａＨ２ＰＯ４またはＫＨ２ＰＯ４を縮合すると、より高分子のナトリウムホスフェートおよびカリウムホスフェートが生じ、環式代表例、メタリン酸ナトリウムとメタリン酸カリウム、連鎖型、ナトリウムポリリン酸塩とカリウムポリリン酸塩の区別がなされ得る。特に後者については、多数の名称が使用される：融解または焼成ホスフェート、Graham塩、Kurrol塩およびMaddrell塩。高分子のナトリウムおよびカリウムホスフェートは全て、縮合ホスフェートと総称される。工業的に重要なペンタナトリウム三リン酸塩、Ｎａ５Ｐ３Ｏ１０（トリポリリン酸ナトリウム）は、非吸湿性、白色、水溶性の塩であり、無水または６Ｈ２Ｏを有する結晶で、一般式：ＮａＯ−［Ｐ（Ｏ）（ＯＮａ）−Ｏ］ｎ−Ｎａ（ここで、ｎ＝３）を有する。結晶水を含まない塩約１７ｇは室温で水１００ｇに溶解し、６０°では約２０ｇ、１００°では約３２ｇが溶解する；溶液を１００°で２時間加熱後に加水分解すると、およそオルソリン酸塩８％と二リン酸塩１５％を生じる。ペンタナトリウム三リン酸塩の調製においては、リン酸を炭酸ナトリウム溶液または水酸化ナトリウム溶液と二段燃焼率で反応させ、溶液を噴霧により脱水する。Graham塩およびナトリウム二リン酸塩と同様に、ペンタナトリウム三リン酸塩は、多くの不溶性金属化合物（ライムソープ等を含む）を溶解する。ペンタカリウム三リン酸塩、Ｋ５Ｐ３Ｏ１０（トリポリリン酸カリウム）は、例えば、５０重量％溶液（＞２３％Ｐ２Ｏ５、２５％Ｋ２Ｏ）の形態で市販されている。ポリリン酸カリウムは、洗濯洗剤および洗浄剤産業において広く用いられている。トリポリリン酸ナトリウム・カリウム塩もまた存在し、本発明において同様に使用できる。これらは、例えば、トリメタリン酸ナトリウムをＫＯＨで加水分解：
（ＮａＰＯ３）３  ＋  ２ＫＯＨ  →  Ｎａ３Ｋ２Ｐ３Ｏ１０  ＋  Ｈ２Ｏ
すると生成する。
【００２９】
それらは、トリポリリン酸ナトリウム、トリポリリン酸カリウム、または二者の混合とまさに同様にして、本発明に従い使用し得る；トリポリリン酸ナトリウムとトリポリリン酸ナトリウム・カリウム塩の混合、またはトリポリリン酸カリウムとトリポリリン酸ナトリウム・カリウム塩の混合、またはトリポリリン酸ナトリウムとトリポリリン酸カリウム塩とトリポリリン酸ナトリウム・カリウム塩の混合もまた、本発明に従い使用し得る。
【００３０】
成分ｅ）に関しては、本発明の組成物の好適な態様では、１．５重量％〜５重量％のポリカルボキシレート重合体、特にアクリル酸、メタクリル酸および／またはマレイン酸の重合生成物または共重合生成物から選択されるものが、存在する。これらの中で、アクリル酸ホモポリマーが特に好ましく、中でも５０００Ｄ〜１５０００Ｄ（ＰＡ標準）の範囲にある平均モル質量を有するものが特に好ましい。
【００３１】
本発明に従って使用されるセルロース誘導体または水溶性ビルダーブロックまたは過炭酸アルカリ金属塩を含み、またはそれらの一以上と共に、或いは本発明に従う方法において使用される洗濯洗剤または洗浄剤組成物は、通常の他の全ての成分であって、本発明にとって本質的なセルロース誘導体または水溶性ビルダーブロックと望ましくない相互作用をしないような組成物を含んでよい。セルロース誘導体は、洗濯洗剤中または洗浄剤組成物中へ、好ましくは０．１重量％〜５重量％、特に０．５重量％〜２．５重量％の量で、組み込まれる。
【００３２】
驚くべきことに、上記特定の性質を有するセルロース誘導体は、ある種の他の洗濯洗剤および洗浄組成物に効果的に作用し、逆に綿−活性汚れ解離性セルロース誘導体の活性は、ある種の他の洗濯洗剤成分によって更に高められることが見出された。これらの効果は、活性酵素成分（特にプロテアーゼおよびリパーゼ）の場合、スルフェート型およびスルホネート型の合成アニオン性界面活性剤の場合、染料移動抑制剤、例えばビニルピロリドン、ビニルピリジンまたはビニルイミダゾール重合体または共重合体、若しくは相当するポリベタインの場合、および灰色化抑制剤、例えば他の、特にアニオン性セルロースエーテル（例えばカルボキシメチルセルロース）の場合に生じ、それ故に、本発明で使用するセルロース誘導体と共に、上記の少なくとも１種の他の成分を使用するのが好ましい。
【００３３】
好ましい態様において、本発明の組成物、本発明に従い用いられる組成物または本発明に従う方法において用いられる組成物は、脂肪アルキルポリグリコシド、脂肪アルキルポリアルコキシレート、特にエトキシレートおよび／またはプロピキシレート、脂肪酸ポリヒドロキシアミドおよび／またはエトキシル化および／またはプロポキシル化生成物または脂肪アルキルアミン、ビシナルジオール、脂肪酸アルキルエステルおよび／または脂肪酸アミドおよびそれらの混合物から選択される非イオン界面活性剤を、２〜２５重量％の量で含んでなる。
【００３４】
本発明の組成物のさらなる態様は、合成スルフェートおよび／またはスルホネート型アニオン界面活性剤、特に脂肪アルキルスルフェート、脂肪アルキルエーテルスルフェート、スルホ脂肪酸エステルおよび／またはスルホ脂肪酸二塩の、特に２〜２５重量％の量で存在させることを含む。アニオン界面活性剤は、好ましくは、アルキルまたはアルケニル基が８〜２２個、特に１２〜１８個の炭素原子を有するアルキルまたはアルケニルスルフェートおよび／またはアルキルまたはアルケニルエーテルスルフェートから選択される。これらは通常は単一物質ではなく、むしろ画分または混合物である。これらの中で、炭素原子が１６〜１８個の範囲の長鎖基を有する化合物の割合が２０％を超えるものが好適である。
【００３５】
有用な非イオン界面活性剤としては、１０〜２２個の炭素原子、好ましくは１２〜１８個の炭素原子を有する飽和またはモノもしくはポリ不飽和の直鎖または分岐鎖アルコールのアルコキシレート、特にエトキシレートおよび／またはプロポキシレートが挙げられる。アルコールのアルコキシル化度は、通常、１〜２０、好ましくは３〜１０である。アルコキシレートは、適したアルコールを、適したアルキレンオキシドと反応させる既知の方法で調製されうる。特に適しているものは、脂肪アルコールの誘導体であるが、分岐鎖状異性体、特にオキソアルコールとして知られているものも、使用可能なアルコキシレートを調製するために使用されうる。したがって、使用可能なものは、直鎖基、特にドデシル、テトラデシル、ヘキサデシルまたはオクタデシル基を有する１級アルコールのアルコキシレート、特にエトキシレート、およびそれらの混合物である。また、使用可能なものは、アルキル基に関して上記のアルコールに対応するアルキルアミン、ビシナルジオールおよびカルボキサミドの対応アルコキシル化生成物である。また、有用なものは、脂肪酸アルキルエステルのエチレンオキシドおよび／またはプロピレンオキシド付加生成物（国際特許出願ＷＯ９０／１３５３３に記載された方法によって調製される）、および脂肪酸ポリヒドロキシアミド（米国特許ＵＳ１９８５４２４、ＵＳ２０１６９６２およびＵＳ２０７０３７９８および国際特許出願ＷＯ９２／０６９８４の方法によって調製される）である。本発明の組成物に組み込まれるのに適したアルキルポリグリコシドは、一般式：（Ｇ）ｎ−ＯＲ１２［式中、Ｒ１２は、８〜２２個の炭素原子を有するアルキルまたはアルケニル基であり、Ｇはグリコース単位であり、ｎは１〜１０である。］で示される化合物である。このような化合物およびその調製方法は、例えば、欧州特許出願ＥＰ９２３５５、ＥＰ３０１２９８、ＥＰ３５７９６９およびＥＰ３６２６７１または米国特許ＵＳ３５４７８２８に記載されている。グリコシド成分（Ｇ）ｎは、天然由来のアルドースまたはケトースモノマー、特にグルコース、マンノース、フルクトース、ガラクトース、タロース、グロース、アルトロース、アロース、イドース、リボース、アラビノース、キロースおよびリキソースからなるオリゴマーまたはポリマーである。グリコシド結合したモノマーからなるオリゴマーは、存在する糖の種類とは別に、オリゴマー化度として知られる糖の数によって特徴づけられる。分析的に測定されるパラメーターとしてのオリゴマー化度ｎは、通常、分数であり、１〜１０の間の数であり、好ましく使用されるグリコシドの場合、１．５の値未満、特に１．２〜１．４である。入手容易さの故に、好ましいモノマー単位はグルコースである。分岐鎖異性体、特にオキソアルコールも、使用可能なグリコシドを調製するために使用できるが、グリコシドのアルキルまたはアルケニル基Ｒ１２は、再生可能な原料の容易に入手できる誘導体、特に、脂肪アルコールから誘導され。したがって、使用可能なものは、特に直鎖オクチル、デシル、ドデシル、テトラデシル、ヘキサデシルまたはオクタデシル基を有する１級アルコールおよびそれらの混合物である。特に好ましいアルキルグリコシドは、ココナツ脂肪アルキル基、すなわち、実質的にＲ１２＝ドデシルおよびＲ１２＝テトラデシルを有する混合物を含有する。
【００３６】
非イオン界面活性剤は、本発明に従って用いられる汚れ解離性活性成分を含む組成物中、本発明に従って用いられる組成物中または本発明に従う方法で用いられる組成物中に、好ましくは１〜３０重量％、特に１〜２５重量％の量で存在し、この範囲の上限量は、５重量％までのいくぶんより少ない量を主として含有する液状洗濯洗剤および粒子状洗濯洗剤に見られる。
【００３７】
これに代えてまたは加えて、組成物は、さらなる界面活性剤、好ましくはスルフェートまたはスルホネート型合成アニオン界面活性剤、例えば、アルキルベンゼンスルホネートを、好ましくはそれぞれの組成物全体に対して２０重量％までの量、特に０．１〜１８重量％の量で含んでいてよい。そのような組成物での使用に特に適している合成アニオン界面活性剤は、８〜２２個の炭素原子を有するアルキルおよび／またはアルケニルスルフェートであり、対カチオンとしてアルカリ金属、アンモニウムまたはアルキルもしくはヒドロキシアルキル置換アンモニウムを有する。好ましいものは、１２〜１８個の炭素原子を有する脂肪アルコールおよびオキソアルコールとして知られているそれらの分岐鎖類縁体の誘導体である。アルキルおよびアルケニルスルフェートは、対応するアルコール成分と通常の硫酸化剤、特に三酸化硫黄またはクロロスルホン酸との反応およびその後のアルカリ金属、アンモニアまたはアルキルもしくはヒドロキシアルキル置換アンモニウム塩基による中和によって調製されうる。
【００３８】
使用できるスルフェート型界面活性剤としては、エーテルスルフェートとして既知である上記のアルコールの硫酸化アルコキシル化生成物も挙げられる。そのようなエーテルスルフェートは、１分子あたり好ましくは２〜３０、特に４〜１０のエチレングリコール基を有する。適したスルホネート型アニオン界面活性剤としては、脂肪酸エステルと三酸化硫黄との反応およびその後の中和によって得られるα−スルホエステル、特に、８〜２２個、好ましくは１２〜１８個の炭素原子を有する脂肪酸と１〜６個、好ましくは１〜４個の炭素原子を有する直鎖アルコールから誘導されるスルホン化生成物ならびにこれらの加水分解から形式的に生じるスルホ脂肪酸が挙げられる。
【００３９】
有用な他に任意界面活性剤成分は、石鹸であり、適した石鹸は、飽和脂肪酸石鹸、例えばラウリン酸、ミリスチン酸、パルミチン酸またはステアリン酸の塩、天然脂肪酸混合物、例えばココナツ、パーム核または獣脂脂肪酸から誘導される石鹸が挙げられる。特に、好ましいものは、飽和Ｃ１２−Ｃ１８脂肪酸石鹸５０〜１００重量％およびオレイン酸石鹸５０重量％までからなる石鹸混合物である。石鹸は、好ましくは０．１〜５重量％の量で存在する。しかしながら、特に本発明で使用されるポリマーを含んでなる液状組成物において、一般に２０重量％までのより多量の石鹸が存在してよい。
【００４０】
所望により、組成物は、存在する場合に、好ましくは０．５〜７重量％の量で使用されるベタインおよび／またはカチオン界面活性剤を含んでなる。中でも、以下に記載のエステルクォートが特に好ましい。
【００４１】
該組成物は、過炭酸塩のほかに、好適には、過水分解条件下で有機ペルカルボン酸を除去する化合物（すなわち、漂白活性剤として知られるもの）および／または既生成の有機ペルカルボン酸を、とりわけ０．５重量％〜６重量％の量で含む。
【００４２】
漂白活性剤の任意に存在する成分は、一般に使用されるＮ−またはＯ−アシル化合物、例えばポリアシル化アルキレンジアミン、特にテトラアセチルエチレンジアミン、アシル化グリコールウリル、特にテトラアセチルグリコールウリル、Ｎ−アシル化ヒダントイン、ヒドラジド、トリアゾール、ウラゾール、ジケトピペラジン、スルフリルアミドおよびシアヌレートならびにカルボン酸無水物、特に無水フタル酸、カルボン酸エステル、特にナトリウムイソノナノイルフェノールスルホネート、およびアシル化糖誘導体、特にペンタアセチルグルコースおよびカチオン性ニトリル誘導体、例えばトリメチルアンモニウムアセトニトリル塩を含む。貯蔵過程でのペル化合物との相互作用を防ぐために、漂白活性剤は、被覆物質により既知の方法で被覆されるかまたは粒状にされ、その場合、特に好ましくは、カルボキシメチルセルロースによって粒状にされ、例えば欧州特許ＥＰ３７０２６に記載される方法によって調製できる０．０１ｍｍ〜０．８ｍｍの平均粒度を有するテトラアセチルエチレンジアミン、例えばドイツ特許ＤＤ２５５８８４に記載の方法によって調製できる粒状化１，５−ジアセチル−２，４−ジオキソヘキサヒドロ−１，３，５−トリアジンおよび／または国際特許出願ＷＯ００／５０５５３、ＷＯ００／５０５５６、ＷＯ０２／１２４２５、ＷＯ０２／１２４２６またはＷＯ０２／２６９２７に記載される方法による粒状に調製されたトリアルキルアンモニウムアセトニトリルが挙げられる。洗濯洗剤および洗浄剤組成物は、それぞれの場合に、全組成物に基づいて８重量％まで、特に２〜６重量％の量でそのような漂白活性剤を含んでなる。
【００４３】
さらに、組成物は、洗濯洗剤および洗浄組成物で一般的なさらなる構成成分を含んでなる。これらの任意の構成成分としては、酵素、酵素安定剤、発泡防止剤（例えば、オルガノポリシロキサンまたはパラフィン）、溶媒および蛍光増白剤（例えば、スチルベンジスルホン酸誘導体）が挙げられる。本発明で使用されるセルロース誘導体を含んでなる組成物は、好ましくは１重量％まで、特に０．０１〜０．５重量％の蛍光増白剤、特に置換された４，４’−ビス（２，４，６−トリアミノ−ｓ−トリアジニル）スチルベン−２，２’−ジスルホン酸、および２重量％までの、特に０．１〜１重量％の発泡防止剤を含有する（記載の重量割合は、それぞれ全組成物洗剤に基づく）。
【００４４】
特に、液体組成物で使用される溶媒は、水の他に、好ましくは水混和性のものである。そのような溶媒としては、低級アルコール、例えばエタノール、プロパノール、イソプロパノールおよび異性体ブタノール、グリセロール、低級グリコール、例えば、エチレングリコールおよびプロピレングリコール、および上記の群の化合物から誘導されるエーテルが挙げられる。そのような液体組成物において、本発明で使用されるセルロース誘導体は、一般に、溶解した状態または懸濁した状態である。
【００４５】
任意に存在する酵素は、好ましくは、プロテアーゼ、アミラーゼ、リパーゼ、セルラーゼ、ヘミセルラーゼ、オキシダーゼ、パーオキシダーゼまたはそれらの混合物である。主に使用される酵素は、微生物、例えばバクテリアまたは菌類から得られるプロテアーゼである。プロテアーゼは、例えば、ドイツ公開特許公報ＤＥ１９４０４８８、ＤＥ２０４４１６１、ＤＥ２１０１８０３およびＤＥ２１２１３９７、米国特許ＵＳ３６２３９５７および米国特許ＵＳ４２６４７３８、欧州特許出願ＥＰ００６６３８および国際特許出願ＷＯ９１／０２７９２に記載される発酵方法による既知の手順で、適した微生物から得られる。プロテアーゼは、例えば、BLAP（登録商標）、Savinase（登録商標）、Esperase（登録商標）、Maxatase（登録商標）、Optimase（登録商標）、Alcalase（登録商標）、Durazym（登録商標）またはMaxapem（登録商標）の商品名で市販されている。使用できるリパーゼは、例えば欧州特許出願ＥＰ２５８０６８、ＥＰ３０５２１６およびＥＰ３４１９４７に記載されるHumicola lanuginosa、国際特許出願ＷＯ９１／１６４２２または欧州特許出願ＥＰ３８４１７７に記載されるBacillus種、欧州特許出願ＥＰ４６８１０２、ＥＰ３８５４０１、ＥＰ３７５１０２、ＥＰ３３４４６２、ＥＰ３３１３７６、ＥＰ３３０６４１、ＥＰ２１４７６１、ＥＰ２１８２７２もしくはＥＰ２０４２８４または国際特許出願ＷＯ９０／１０６９５に記載されるPseudomonas種、例えば欧州特許出願ＥＰ１３００６４に記載されるFusarium種、例えば欧州特許出願ＥＰ１１７５５３に記載されるRhizopus種または欧州特許出願ＥＰ１６７３０９に記載されるAspergillus種から得られる。適したリパーゼは、Lipolase（登録商標）、Lipozym（登録商標）、Lipomax（登録商標）、Lipex（登録商標）、Amano（登録商標）リパーゼ、Toyo-Jozo（登録商標）リパーゼ、Meito（登録商標）リパーゼおよびDiosynth（登録商標）リパーゼの商品名で市販されている。適したアミラーゼは、例えばMaxamyl（登録商標）、Termamyl（登録商標）、Duramyl（登録商標）およびPurafect（登録商標）OxAmの商品名で市販されている。使用できるセルロースは、至適ｐＨ値を、好ましくは６〜９．５の弱酸性ないし弱アルカリ性の範囲に有するバクテリアまたは菌類から得られる酵素であろう。そのようなセルロースは、例えばドイツ公開特許公報ＤＥ３１１７２５０、ＤＥ３２０７８２５、ＤＥ３２０７８４７、ＤＥ３３２２９５０または欧州特許出願ＥＰ２６５８３２、ＥＰ２６９９７７、ＥＰ２７０９７４、ＥＰ２７３１２５およびＥＰ３３９５５０、および国際特許出願ＷＯ９５／０２６７５およびＷＯ９７／１４８０４から既知であり、Celluzyme（登録商標）、Carezyme（登録商標）およびEcostone（登録商標）の商品名で市販されている。
【００４６】
特に液体組成物において所望により存在する通常の酵素安定剤としては、アミノアルコール、例えばモノ−、ジ−、トリエタノール−および−プロパノールアミンおよびそれらの混合物、欧州特許出願ＥＰ３７６７０５およびＥＰ３７８２６１から既知である低級カルボン酸、ホウ酸またはアルカリ金属ホウ酸塩または例えば欧州特許出願ＥＰ４５１９２１から既知であるホウ酸−カルボン酸の組み合わせ、例えば国際特許出願ＷＯ９３／１１２１５または欧州特許出願ＥＰ５１１４５６から既知であるホウ酸エステル、例えば欧州特許出願ＥＰ５８３５３６から既知であるホウ酸誘導体、カルシウム塩、例えば欧州特許ＥＰ２８８６５から既知であるカルシウム−蟻酸の組み合わせ、例えば欧州特許出願ＥＰ３７８２６２から既知であるマグネシウム塩、例えば欧州特許出願ＥＰ０８０７４８またはＥＰ０８０２２３から既知である硫黄含有還元剤が挙げられる。
【００４７】
適した発泡抑制剤としては、長鎖石鹸、特にベヘン酸石鹸、脂肪酸アミド、パラフィン、ワックス、微結晶性ワックス、オルガノポリシロキサンおよびそれら混合物が挙げられ、さらに、超微粒の、任意にシラン化されたまたは他の方法で疎水化されたシリカを含みうる。粒子状組成物の使用のために、そのような発泡抑制剤は、例えばドイツ公開特許公報ＤＥ３４３６１９４、欧州特許出願ＥＰ２６２５８８、ＥＰ３０１４１４、ＥＰ３０９９３１または欧州特許ＥＰ１５０３８６に記載されるように、好ましくは、粒状水溶性担体物質に結合される。
【００４８】
繊維製品の洗濯において洗浄効果を高めるために、上記の綿-活性汚れ解離性セルロース誘導体と、ジカルボン酸および任意のポリマージオールからなるポリエステル−活性汚れ解離性ポリマーの組み合わせを使用することも可能である。本発明の組成物および本発明の方法においては、上記の綿-活性汚れ解離性セルロース誘導体とポリエステル−活性汚れ解離性ポリマーの組み合わせも可能である。
【００４９】
ポリエステル活性であると知られ、本発明に必須のセルロース誘導体に加えて使用できる汚れ解離性ポリマーとしては、ジカルボン酸、例えばアジピン酸、フタル酸またはテレフタル酸と、ジオール、例えばエチレングリコールまたはプロピレングリコールおよびポリジオール、例えばポリエチレングリコールまたはポリプロピレングリコールとのコポリエステルが挙げられる。好ましく使用される汚れ解離性ポリエステルとしては、形式的には２種のモノマー単位のエステル化によって得られるこれらの化合物が挙げられ、第１モノマーは、ジカルボン酸ＨＯＯＣ−Ｐｈ−ＣＯＯＨであり、第２モノマーは、ジオールＨＯ−(ＣＨＲ１１−)ａＯＨであり、ポリマージオールＨ−（Ｏ−ＣＨＲ１１−)ａ）ｂＯＨとして存在してもよい。この式中、Ｐｈは、１〜２２個の炭素原子を有するアルキル基、スルホン酸基、カルボキシル基およびそれらの混合物から選択された１〜４個の置換基を有するｏ−、ｍ−またはｐ−フェニレン基であり、Ｒ１１は、水素、１〜２２個の炭素原子を有するアルキル基およびそれらの混合物であり、ａは２〜６であり、ｂは１〜３００である。これらから得られるポリエステルにおいて、好ましくは、モノマージオール単位−Ｏ−(ＣＨＲ１１−)ａＯ−とポリマージオール単位−(Ｏ−(ＣＨＲ１１−)ａ)bＯ−の両方が存在する。モノマージオール単位対ポリマージオール単位のモル比は、好ましくは１００：１〜１：１００、特に１０：１〜１：１０である。ポリマージオール単位において、重合度ｂは、好ましくは４〜２００、特に１２〜１４０の範囲である。好ましい汚れ解離性ポリエステルの分子量または平均分子量または分子量分布の最大値は、２５０〜１０００００、特に５００〜５００００である。Ｐｈ基の母体酸としては、好ましくはテレフタル酸、イソフタル酸、フタル酸、トリメリット酸、メリット酸、スルホフタル酸、スルホイソフタル酸およびスルホテレフタル酸の異性体およびそれらの混合物が挙げられる。酸基が、ポリマーのエステル結合の一部分でない場合は、酸基は、塩の形態で、好ましくはアルカリ金属またはアンモニウム塩として好ましくは存在する。中でも、特に好ましくはナトリウムおよびカリウム塩である。所望により、少量のモノマーＨＯＯＣ−Ｐｈ−ＣＯＯＨのかわりに、上記のＰｈの割合に基づいて１０重量％を超えないで、少なくとも２種のカルボキシル基を有する他の酸が、汚れ解離性ポリマーに存在してよい。他の酸としては、例えば、アルキレン−およびアルケニレンジカルボン酸、例えばマロン酸、コハク酸、フマル酸、マレイン酸、グルタル酸、アジピン酸、ピメリン酸、スベリン酸、アゼライン酸およびセバシン酸が挙げられる。好ましいジオールＨＯ−(ＣＨＲ１１−)ａＯＨは、Ｒ１１が水素であり、ａが２〜６であるもの、およびａが２であり、Ｒ１１が水素および１〜１０個、好ましくは１〜３個の炭素原子を有するアルキル基から選択されるものである。後者のジオールの中で特に好ましいものは、Ｒ１１が上記のとおりである式：ＨＯ−ＣＨ２−ＣＨＲ１１−ＯＨで示されるものである。ジオール成分の例は、エチレングリコール、１，２−プロピレングリコール、１，３−プロピレングリコール、１，４−ブタンジオール、１，５−ペンタンジオール、１，６−ヘキサンジオール、１，８−オクタンジオール、１，２−デカンジオール、１，２−ドデカンジオールおよびネオペンチグリコールである。ポリマージオールの中で、特に好ましいものは、１０００〜６０００の範囲の平均分子量を有するポリエチレングリコールである。
【００５０】
所望により、上記の組成を有するポリエステルは、末端基キャップされ、その場合、有用な末端基は、１〜２２個の炭素原子を有するアルキル基およびモノカルボン酸のエステルである。エステル結合によって結合した末端基の母体酸は、５〜３２個、特に５〜１８個の炭素原子を有するアルキル−、アルケニル−およびアリールモノカルボン酸であってよい。これらの酸としては、吉草酸、カプロン酸、エナント酸、カプリル酸、ペラルゴン酸、カプリン酸、ウンデカン酸、ウンデセン酸、ラウリン酸、ラウロレイン酸（Lauroleinsaeure）、トリデカン酸、ミリスチン酸、ミリストレイン酸、ペンタデカン酸、パルミチン酸、ステアリン酸、ペトロセリン酸、ペトロセライジン酸、オレイン酸、リノール酸、リノライジン酸、リノレン酸、エレオステアリン酸、アラキジン酸、ガドレイン酸、アラキドン酸、ベヘン酸、エルカ酸、ブラッシジン酸、クルパノドン酸、リグノセリン酸、セロチン酸、メリシン酸、合計で２５個まで、特に１〜１２個の炭素原子を有する１〜５個の置換基を有する安息香酸、t-ブチル安息香酸が挙げられる。末端基の母体酸は、５〜２２個の炭素原子を有するヒドロキシモノカルボン酸、例えば、ヒドロキシ吉草酸、ヒドロキシカプロン酸、リシノール酸、水素化生成物ヒドロキシステアリン酸、およびｏ−、ｍ−およびｐ−ヒドロキシ安息香酸である。ヒドロキシモノカルボン酸は、ヒドロキシル基およびカルボキシル基を介して結合され、１つの末端基に２つ以上存在する。１末端基あたりのヒドロキシモノカルボン酸単位の数、すなわちオリゴマー化度は、好ましくは１〜５０、特に１〜１０の範囲である。本発明の好ましい態様において、エチレンテレフタレートおよびポリエチレンオキシドテレフタレートからなり、ポリエチレングリコール単位が７５０〜５０００の分子量を有し、エチレンテレフタレート対ポリエチレンオキシドテレフタレートのモル比は５０：５０〜９０：１０であるポリマーが、セルロース誘導体と共に使用される。
【００５１】
汚れ解離性ポリマーは、好ましくは水溶性であり、「水溶性」とは、室温で、ｐＨ８において水１Ｌあたり少なくとも０．０１ｇ、好ましくは少なくとも０．１ｇのポリマーの溶解度を意味する。しかしながら、好ましく使用されるポリマーは、これらの条件下で１Ｌあたり少なくとも１ｇ、特に１０ｇの溶解度を有する。
【００５２】
好ましい洗濯後処理組成物は、洗濯物柔軟活性成分として、エステルクォート、すなわちカルボン酸とアミノアルコールとの４級化エステルを含有する。これらは、合成有機化学の関連した方法によって得られる既知の物質である。これに関して、国際特許出願ＷＯ９１／０１２９５を参照でき、そこでは、トリエタノールアミンを、次亜リン酸の存在下で、脂肪酸により部分エステル化し、空気を通過させ、その後、混合物を、ジメチルスルフェートまたはエチレンオキシドにより４級化する。さらに、ドイツ特許ＤＥ４３０８７９４は、トリエタノールアミンエステルの４級化を適当な分散体、好ましくは脂肪アルコールの存在下で行う固体エステルクォートの調製方法を開示している。このテーマに関するレビューは、例えば、R. Puchtaら著、Tens. Surf. Det., 30, 186 (1993)、M.Brock著、Tens. Surf. Det. 30, 394 (1993)、R. Lagermanら著、J. Am. Oil. Chem. Soc., 71, 97 (1994)およびI. Shapiro著Cosm. Toil. 109, 77 (1994)に公開されている。
【００５３】
組成物中で好ましいエステルクォートは、式（Ｉ）：
【化１】
0004519122.tif 000002
［式中、Ｒ１ＣＯは、６〜２２個の炭素原子を有するアシル基であり、Ｒ２およびＲ３は、それぞれ独立して水素原子またはＲ１ＣＯであり、Ｒ４は１〜４個の炭素原子を有するアルキル基または（ＣＨ２ＣＨ２Ｏ）ｑＨ基であり、ｍ、ｎおよびｐは、合計で０または１〜１２であり、ｑは１〜１２であり、Ｘは、荷電平衡アニオン、例えば、ハライド、アルキルスルフェートまたはアルキルホスフェートである。］
で示される４級化脂肪酸トリエタノールアミンエステル塩である。本発明においての使用できるエステルクォートの典型的な例は、カプロン酸、カプリル酸、カプリン酸、ラウリン酸、ミリスチン酸、パルミチン酸、イソステアリン酸、ステアリン酸、オレイン酸、エライジン酸、アラキジン酸、ベヘン酸およびエルカ酸並びに例えば天然油脂の加圧開裂から得られるようなそれらの工業グレードの混合物に基づく生成物である。好ましいものとしては、工業グレードＣ１２／１８ココナツ脂肪酸、特に部分水素化Ｃ１６／１８獸脂またはパーム脂肪酸、エライジン酸豊富Ｃ１６／１８脂肪酸カットを使用するものである。４級化エステルを調製するために、脂肪酸およびトリエタノールアミンは、１．１：１〜３：１のモル比で通常使用されうる。エステルクォートの性能比率に関して、１．２：１〜２．２：１、好ましくは１．５：１〜１．９：１の使用比が、特に有利であることが見出されている。好ましく使用されるエステルクォートは、１．５〜１．９のエステル化度を有するモノ−、ジ−およびトリエステルの工業グレード混合物であり、工業グレードＣ１６／１８獸脂またはパーム脂肪酸から誘導される（ヨード価０〜４０）。式中、Ｒ１ＣＯが１６〜１８個の炭素原子を有するアシル基であり、Ｒ２がＲ１ＣＯであり、Ｒ３が水素原子であり、Ｒ４がメチル基であり、ｍ、ｎおよびｐがそれぞれ０であり、Ｘがメチルスルフェートである式（Ｉ）の４級化脂肪酸トリエタノールアミンエステル塩が特に有用であることが見出されている。
【００５４】
４級化カルボン酸トリエタノールアミンエステル塩に加えて、有用なエステルクォートは、カルボン酸と式（ＩＩ）：
【化２】
0004519122.tif 000003
［式中、Ｒ１ＣＯは、６〜２２個の炭素原子を有するアシル基であり、Ｒ２は水素またはＲ１ＣＯであり、Ｒ４およびＲ５はそれぞれ独立して１〜４個の炭素原子を有するアルキル基であり、ｍおよびｎは、合計で０または１〜１２であり、Ｘは、荷電平衡アニオン、例えば、ハライド、アルキルスルフェートまたはアルキルホスフェートである。］
で示されるジエタノールアルキルアミンとの４級化エステル塩である。
【００５５】
適したエステルクォートのさらなる群として、カルボン酸と式（ＩＩＩ）：
【化３】
0004519122.tif 000004
［式中、Ｒ１ＣＯは、６〜２２個の炭素原子を有するアシル基であり、Ｒ２は水素またはＲ１ＣＯであり、Ｒ４、Ｒ６およびＲ７はそれぞれ独立して１〜４個の炭素原子を有するアルキル基であり、ｍおよびｎは、合計で０または１〜１２であり、Ｘは、荷電平衡アニオン、例えば、ハライド、アルキルスルフェート、アルキルホスフェートである。］で示される１，２−ジヒドロキシプロピルジアルキルアミンとの４級化エステル塩が最後に挙げられる。
【００５６】
好ましい脂肪酸および最適エステル化度の選択に関して、（Ｉ）を例として行った説明は、式（ＩＩ）および（ＩＩＩ）のエステルクォートにも当てはまる。典型的に、エステルクォートは、何ら問題なく水で希釈できる５０〜９０重量％のアルコール溶液の形態で市販されており、エタノール、プロパノールおよびイソプロパノールが、一般的なアルコール溶媒である。
【００５７】
エステルクォートは、それぞれ、全洗濯後処理組成物に基づいて通常、５〜２５重量％、好ましくは８〜２０重量％の量で使用される。所望により、本発明に従って使用される洗濯後処理組成物は、さらに、エステルクォートに許容できないような悪影響を与えないかぎり、上記の洗濯洗剤成分を含んでなる。それらは、好ましくは液状の水含有組成物である。
【００５８】
固体組成物は好ましくは、汚れ解離性セルロース誘導体を含んでなる粒子を、固体で存在するさらなる洗濯洗剤成分、特に水溶性ビルダーブロック成分と混合して、調製される。汚れ解離性セルロース誘導体を含んでなる粒子を調製するために、好ましくは、噴霧乾燥工程を使用する。または、この粒子を調製するためにおよび場合によっては最終生成物を調製するため、圧縮配合工程を使用することも可能である。
【実施例】
【００５９】
下記を含んでなる洗濯洗剤（Ｖ１）：
ＡＢＳ                                  １２重量部
Ｃ１２／１４脂肪アルコール＊  ７  ＥＯ    ３重量部
ＴＡＥＤ                                ２．５重量部
過炭酸塩                                １３重量部
炭酸ナトリウム                          ２０重量部
炭酸水素ナトリウム                      ５重量部
Ｓｏｋａｌａｎ（登録商標）ＣＰ  ５ａ）    ３重量部
硫酸ナトリウム                          ２７重量部
Ｔｉｎｏｐａｌ（登録商標）ＤＭＳ−Ｘｂ）  ０．２重量部
ａ）ポリカルボキシレート重合体、製造業者：ＢＡＳＦ  ＡＧ
ｂ）蛍光増白剤、製造業者：Ｃｉｂａ
を、メチルヒドロキシエチルセルロース（ＤＳ１．８９；ＭＳ０．１５；平均モル質量１０００００）（Ｗ１）０．５重量部と混合した。純綿、加工綿および５０／５０ポリエステル/綿混紡織物の布を、以下のように処理した。
【００６０】
洗濯機：  Miele W 918 Novotronic（登録商標）
一次洗浄：  標準プログラム、単一液体法
洗浄温度：  ４０℃
測定：  ５回
液体容積：  １８Ｌ
水硬度：  １６°ドイツ硬度（ｄＨ）
バラスト：  清潔な洗濯物３．５ｋｇ
【００６１】
汚れのない布を、上記に規定した条件下で、それぞれの場合において試験すべき洗濯洗剤を用いて３回洗浄し、各洗浄後に乾燥させた。３回の予備洗浄後、以下の標準化した汚れを用いて、布を手で汚した。
口紅  0.10g
黒い靴墨  0.10g
ほこり/皮脂  0.10g
【００６２】
汚した布を Minolta CR 200 を用いて測定し、次いで、室温で７日間熟成した。その後、汚れた布をタオル上に留め（aufgetackert）、上記に規定した条件下で洗浄した。
布を乾燥し、再び Minolta CR 200 で測定した。以下の洗浄結果が得られた（ｄｄｅ値)。
【００６３】
【表１】
0004519122.tif 000005
【００６４】
【表２】
0004519122.tif 000006
【００６５】
【表３】
0004519122.tif 000007
【００６６】
本発明に従って使用されるべきセルロース誘導体を含んでなる洗濯洗剤を用いると、セルロース誘導体を欠く組成物を使用した場合より、際立って優れた洗浄性能が得られることがわかる。
本発明の好ましい態様は以下を包含する。
〔１〕  水溶性ビルダーブロック、過炭酸アルカリ金属塩およびセルロースのアルキル化およびヒドロキシアルキル化によって得られる汚れ解離性セルロース誘導体を含んでなる、ビルダー含有洗濯または洗浄剤。
〔２〕  セルロース誘導体は、Ｃ１〜Ｃ１０基、特にＣ１〜Ｃ３基でアルキル化されており、さらにＣ２〜Ｃ１０ヒドロキシアルキル基、特にＣ２〜Ｃ３ヒドロキシアルキル基を有することを特徴とする上記〔１〕に記載の剤。
〔３〕  セルロース誘導体は、平均して、無水グリコースモノマー単位あたり０．５〜２．５個、特に１〜２個のアルキル基と、０．０２〜０．５個、特に０．０５〜０．３個のヒドロキシアルキル基を含有することを特徴とする上記〔１〕または〔２〕に記載の剤。
〔４〕  セルロース誘導体の平均モル質量は、１００００Ｄ〜１５００００Ｄの範囲にあることを特徴とする上記〔１〕〜〔１〕のいずれかに記載の剤。
〔５〕  セルロース誘導体の平均モル質量は、４００００Ｄ〜１２００００Ｄ、特に８００００Ｄ〜１１００００Ｄの範囲にあることを特徴とする上記〔１〕〜〔４〕のいずれかに記載の剤。
〔６〕  ０．１重量％〜５重量％、特に０．５重量％〜２．５重量％の汚れ解離性セルロース誘導体を含有することを特徴とする上記〔１〕〜〔５〕のいずれかに記載の剤。
〔７〕  過炭酸アルカリ金属塩の割合は、６重量％〜３０重量％、特に１０重量％〜２５重量％であることを特徴とする上記〔１〕〜〔６〕のいずれかに記載の剤。
〔８〕  過炭酸アルカリ金属塩は粒子状で、少なくとも２つの被覆層を有し、最内層は少なくとも一つの水和物形成性無機塩を含み、外層はアルカリ金属シリケートを含むことを特徴とする上記〔１〕〜上記〔７〕のいずれかに記載の剤。
〔９〕  過水分解条件下で有機ペルカルボン酸を放出しおよび／または有機ペルカルボン酸を、特に０．５重量％〜６重量％の量で含む化合物をさらに含むことを特徴とする上記〔１〕〜〔８〕のいずれかに記載の剤。
〔１０〕  ビルダーブロックの割合は少なくとも１５重量％であることを特徴とする上記〔１〕〜〔９〕のいずれかに記載の剤。
〔１１〕  ビルダーブロックの割合は５５重量％まで、特に２５重量％〜５０重量％であることを特徴とする上記〔１〕〜〔１０〕のいずれかに記載の剤。
〔１２〕  水溶性ビルダーブロックは、下記成分：
ａ）５重量％〜３５重量％の、クエン酸、アルカリ金属クエン酸塩および／またはアルカリ金属炭酸塩（アルカリ金属炭酸水素塩によって少なくとも部分的に置換されてよい）と、
ｂ）１０重量％までの、１．８〜２．５の範囲のモジュールを有するアルカリ金属シリケートと、
ｃ）２重量％までの、ホスホン酸および／またはアルカリ金属ホスホネートと、
ｄ）５０重量％までの、アルカリ金属ホスフェートと、
ｅ）１０重量％までのポリカルボキシレート重合体、
から構成されることを特徴とする上記〔１〕〜〔１１〕のいずれかに記載の剤。
〔１３〕  ビルダーブロックは、成分ｂ）、ｃ）、ｄ）およびｅ）の少なくとも二種を０重量％より多い量で含むことを特徴とする上記〔１〕〜〔１２〕のいずれかに記載の剤。
〔１４〕  １５重量％〜２５重量％のアルカリ金属炭酸塩（アルカリ金属炭酸水素塩によって少なくとも部分的に置換されてよい）、および５重量％まで、特に０．５重量％〜２．５重量％のクエン酸および／またはアルカリ金属クエン酸塩が、成分a)として存在することを特徴とする上記〔１〕〜〔１３〕のいずれかに記載の剤。
〔１５〕  ５重量％〜２５重量％、特に５重量％〜１５重量％のクエン酸および／またはアルカリ金属クエン酸塩と、５重量％まで、特に１重量％〜５重量％のアルカリ金属炭酸塩（アルカリ金属炭酸水素塩によって少なくとも部分的に置換されてよい）が、成分ａ）として存在することを特徴とする上記〔１〕〜〔１３〕のいずれかに記載の剤。
〔１６〕  成分ａ）は、アルカリ金属炭酸塩とアルカリ金属炭酸水素塩を、１０：１〜１：１の重量比で含むことを特徴とする上記〔１〕〜〔１５〕のいずれかに記載の剤。
〔１７〕  １重量％〜５重量％の、１．８〜２．５の範囲のモジュールを有するアルカリ金属シリケートが、成分ｂ）として存在することを特徴とする上記〔１〕〜〔１６〕のいずれかに記載の剤。
〔１８〕  ０．０５重量％〜１重量％の、ホスホン酸および／またはアルカリ金属ホスホネート、特にそれらのヒドロキシおよび／またはアミノアルキルホスホン酸および／またはアルカリ金属塩から選択されるものが、成分ｃ）として存在することを特徴とする上記〔１〕〜〔１７〕のいずれかに記載の剤。
〔１９〕  １５重量％〜３５重量％の、アルカリ金属ホスフェート、特に三ナトリウムポリリン酸塩が、成分ｄ）として存在することを特徴とする上記〔１〕〜〔１８〕のいずれかに記載の剤。
〔２０〕  １．５重量％〜５重量％のポリカルボキシレート重合体、特にアクリル酸、メタクリル酸および／またはマレイン酸の重合生成物または共重合生成物から選択されるものが、成分e)として存在することを特徴とする上記〔１〕〜〔１９〕のいずれかに記載の剤。
〔２１〕  特に綿から構成されるかまたは綿を含む、繊維製品の洗浄において、過炭酸アルカリ金属塩および水溶性ビルダーブロックを含む洗濯洗剤の洗浄性能を向上させるための、セルロースのアルキル化およびヒドロキシアルキル化によって得られる汚れ解離性セルロース誘導体の使用。
〔２２〕  繊維製品の洗浄方法であって、水溶性ビルダーブロックと、セルロースのアルキル化およびヒドロキシアルキル化によって得られる汚れ解離性セルロース誘導体を有する過炭酸アルカリ金属塩含有洗濯洗剤を使用する、方法。
〔２３〕  汚れ解離性セルロース誘導体を含んでなる粒子を、固体状で存在する追加の洗濯洗剤成分と混合することを特徴とする上記〔１〕〜〔２０〕のいずれかに記載の固形剤の製造方法。
〔２４〕  汚れ解離性セルロース誘導体を含んでなる粒子を、噴霧乾燥工程を用いることによって調製することを特徴とする上記〔２１〕に記載の方法。
〔２５〕  汚れ解離性セルロース誘導体を含んでなる粒子を、圧縮成形工程を用いることによって調製することを特徴とする上記〔２１〕に記載の方法。